(57)【要約】【課題】重力エネルギーの供給を受けて回転し続ける、安価な重力を利用した回転装置の提供。【解決手段】重力を利用した回転装置Ａは、円盤１の中心から回転軸２を延設して基台Ｋの支柱９で軸支し、円盤１の外周面から所定の角度を付けて、放射状に枠体３の内周面へ案内柱４を臨ませ、錘５の軸穴を案内柱４に遊嵌し、錘５の一端・他端側の案内柱４にスプリング６、７を嵌め込んでなる。重力の作用により、各案内柱４の最も低い位置へ錘５が下降し、枠体３左側の大部分の錘５は、枠体３外周近傍へ変位し、枠体３右側の大部分の錘５は、枠体３内周近傍へ変位して重心は右側に偏るため、重力を利用した回転装置Ａは右回転し続ける。【選択図】図１
2010096044.tif 000002
【特許請求の範囲】
【請求項１】
円盤と、
該円盤の円形端面の中心から直角方向に延設する回転軸と、
円盤外側に同軸的に配される円筒状の枠体と、
脚と該脚から立設する平板状の支柱とからなり、前記回転軸が地面に対して略水平になる様に前記支柱で軸支される基台と、
円盤外周面から所定の角度を付けて、放射状に等間隔で枠体内周面へ臨む複数本の案内柱と、
軸穴を前記案内柱に遊嵌される軸穴付きの錘と、
該錘の一端・他端側の案内柱に嵌め込まれるスプリングとを具備してなる重力を利用した回転装置。
【請求項２】
円盤と、
該円盤の円形端面の中心から直角方向に延設する回転軸と、
脚と該脚から立設する平板状の支柱とからなり、前記回転軸が地面に対して略水平になる様に前記支柱で軸支される基台と、
前記円盤と同軸的で、円盤内側に位置する仮想円から所定の角度を付けて、放射状に等間隔で枠体縁端方向へ臨む複数の案内穴と、
案内穴内に変位可能に配される液体または固体の錘とを具備してなる重力を利用した回転装置。
【請求項３】
脚と該脚から立設する平板状の支柱とからなり、支柱板面にリング磁石を配設し、時計の文字盤に例えると、時計回りで十二時位置から六時位置のリング磁石径を大きくした基台と、
盤端面の中心から直角方向に延設する回転軸が地面に対して略水平になる様に前記支柱で軸支される円盤と、
先端部にストッパーが取り付けられ、円盤外周面から放射状に外方へ延設する複数本の案内角柱と、                                
案内角柱長より穴長が短い軸穴を有し、前記案内角柱に前記軸穴を嵌め込んだ錘と、
各錘の前記支柱に対向する側に配設され、前記リング磁石と対面する側を逆極性に設定した柱状磁石とを具備してなる磁力を利用した回転装置。
【請求項４】
脚と該脚から立設する平板状の支柱とからなり、支柱板面にリング磁石を配設し、時計の文字盤に例えると、六時を終点として時計回りで十二時位置から六時位置のリング磁石径の一部または全部を大きくし、十二時を終点として時計回りで九時位置から十二時位置のリング磁石径の一部または全部を小さくした基台と、
盤端面の中心から直角方向に延設する回転軸が地面に対して略水平になる様に前記支柱で軸支される円盤と、
先端部にストッパーが取り付けられ、円盤外周面から放射状に外方へ延設する複数本の案内角柱と、                                
案内角柱長より穴長が短い軸穴を有し、前記案内角柱に前記軸穴を嵌め込んだ錘と、
各錘の前記支柱に対向する側に配設され、前記リング磁石と対面する側を逆極性に設定した柱状磁石とを具備してなる磁力を利用した回転装置。
【請求項５】
脚と該脚から立設する平板状の支柱とからなり、外周面がＮ極、内周面がＳ極の円筒状磁石を支柱板面に配設し、時計の文字盤に例えると三時位置から六時位置の円筒状磁石径を大きくした基台と、  
入口が狭く奥が広い複数の案内穴が、盤外周面の複数箇所から盤内部に向かって穿設され、盤端面の中心から直角方向に延設する回転軸が地面に対して略水平になる様に前記支柱で軸支される円盤と、
それぞれの案内穴の奥に等径で径大の頭部が遊嵌され、該頭部から盤外方向へ等径で径小の首部が延び、該首部から盤外方向へ胴部が延び、この胴部の支柱対向側に内円筒部と外円筒部とを形成した複数個の錘と、
内円筒部外周に配設した内周面側がＳ極である円筒状磁石と、外円筒部内周に配設した内周面側がＮ極である円筒状磁石とを具備してなる磁力を利用した回転装置。
【請求項６】
時計の文字盤に例えると、三時位置から六時位置の円筒状磁石径を大きくした構成に加え、九時位置から十二時位置の円筒状磁石径を小さくしたことを特徴とする請求項５に記載の磁力を利用した回転装置。
【請求項７】
脚と該脚から立設する平板状の支柱とからなり、支柱板面にリング磁石を配設し、時計の文字盤に例えると十二時位置から六時位置のリング磁石径を大きくした基台と、
盤端面の中心から直角方向に延設する回転軸が地面に対して略水平になる様に前記支柱で軸支され、円盤外周に円盤中心方向へ向かって複数の凹部を形成した円盤と、
柱状錘を背面に連結し、該柱状錘を貫く回動軸により各凹部に回動自在に軸支され、前記リング磁石と対面する側を逆極性に設定した柱状磁石とを具備してなる磁力を利用した回転装置。
【請求項８】
円盤と、
該円盤の円形端面の中心から直角方向に延設する回転軸と、
脚と該脚から立設する平板状の支柱とからなり、前記回転軸が地面に対して略水平になる様に前記支柱で軸支される基台とを備え、
円盤外周面に沿って所定の円周角度だけ鰭形に円盤外方へ突設して略歯車状とし、その内部に多数の金属小球体または比重が重い液体を封入したことを特徴とする重力を利用した回転装置。
【請求項９】
円盤と、
該円盤の円形端面の中心から直角方向に延設する回転軸と、
脚と該脚から立設する平板状の支柱とからなり、前記回転軸が地面に対して略水平になる様に前記支柱で軸支される基台とを備え、
一方端が円盤外周近傍に臨み、他方端が円盤内周方向へ臨む略瞳形の空所を複数、円盤内部に周設し、その内部に金属球体または比重が重い液体を入れたことを特徴とする重力を利用した回転装置。
【発明の詳細な説明】
【技術分野】
【０００１】
本発明は、重力や磁力を利用した回転装置に関する。
【背景技術】
【０００２】
複数のシリンダーを円盤に配設し、液体と気体との比重差でおこる運動を原動力に用いた永久機関が開示されている（特許文献１）
【０００３】
【特許文献１】特開昭６２−１６２７７６号公報
【発明の開示】
【発明が解決しようとする課題】
【０００４】
特許文献１の永久機関は、動かない。
【０００５】
本発明の第１の目的は、重力エネルギーの供給を受けて回転し続ける重力を利用した回転装置の提供にある。
本発明の第２の目的は、磁石の吸引・反発を利用して回転し続ける磁力を利用した回転装置の提供にある。
【課題を解決するための手段】
【０００６】
〔請求項１の手段〕
重力を利用した回転装置は、円盤と、円盤の円形端面の中心から直角方向に延設する回転軸と、円盤外側に同軸的に配される円筒状の枠体と、脚と脚から立設する平板状の支柱とからなり、回転軸が地面に対して略水平になる様に支柱で回転軸を軸支する基台と、円盤外周面から所定の角度を付けて、放射状に等間隔で枠体内周面へ臨む複数本の案内柱と、軸穴を案内柱に遊嵌される軸穴付きの錘と、錘の一端・他端側の案内柱に嵌め込まれるスプリングとを具備してなる。
【０００７】
円盤外周面から所定の角度を付けて、放射状に等間隔で枠体内周面へ臨む複数本の案内柱を設け、錘の軸穴を案内柱に遊嵌させている。
このため、重力の作用により、各案内柱の最も低い位置へ錘が下降し、所定の角度が図示の場合には、円盤左側の大部分の錘は、円盤外周近傍へ変位し、円盤右側の大部分の錘は、枠体内周近傍へ変位する。よって、回転装置の重心は右側に偏るため、回転装置は右回転し続ける。
【０００８】
錘の一端・他端側の案内柱にスプリングを嵌め込んでいるので、錘が変位する際のショックを和らげ、滑らかな回転が得られる。
この重力を利用した回転装置は、構造が簡単であるので製造費が安価である。
【０００９】
〔請求項２の手段〕
重力を利用した回転装置は、円盤と、円盤の円形端面の中心から直角方向に延設する回転軸と、脚と該脚から立設する平板状の支柱とからなり、回転軸が地面に対して略水平になる様に支柱で回転軸を軸支する基台と、円盤と同軸的で、円盤内側に位置する仮想円から所定の角度を付けて、放射状に等間隔で枠体縁端方向へ臨む複数の案内穴と、案内穴内に変位可能に配される液体または固体の錘とを具備してなる。
【００１０】
円盤と同軸的で、円盤内側に位置する仮想円から所定の角度を付けて、放射状に等間隔で枠体縁端方向へ臨む様に案内穴を複数設け、案内穴内に変位可能に錘（液体または固体）を配している。
【００１１】
このため、重力の作用により、各案内穴の最も低い位置へ錘が下降し、所定の角度が図示の場合には、円盤左側の大部分の錘は、円盤内周近傍へ変位し、円盤右側の大部分の錘は、円盤外周近傍へ変位する。よって、回転装置の重心は右側に偏るため、回転装置は、右回転し続ける。
【００１２】
〔請求項３の手段〕
磁力を利用した回転装置は、脚と該脚から立設する平板状の支柱とからなり、支柱板面にリング磁石を配設し、時計の文字盤に例えると、時計回りで十二時位置から六時位置のリング磁石径を大きくした基台と、盤端面の中心から直角方向に延設する回転軸が地面に対して略水平になる様に支柱で軸支される円盤と、先端部にストッパーが取り付けられ、円盤外周面から放射状に外方へ延設する複数本の案内角柱と、案内角柱長より穴長が短い軸穴を有し、案内角柱に軸穴を嵌め込んだ錘と、各錘の支柱に対向する側に配設され、リング磁石と対面する側を逆極性に設定した柱状磁石とを具備してなる。
【００１３】
基台の支柱板面に配設したリング磁石の、十二時位置から六時位置のリング磁石径を大きくしているので、錘に配設した柱状磁石（リング磁石と対面する側を逆極性に設定）がリング磁石に吸引され、十二時位置から六時位置にある錘は、案内角柱に沿って円盤の外周方向へ移動する。よって、回転装置の重心は右側に偏るため、回転装置は、右回転し続ける。
【００１４】
〔請求項４の手段〕
磁力を利用した回転装置は、脚と該脚から立設する平板状の支柱とからなり、支柱板面にリング磁石を配設し、時計の文字盤に例えると、六時を終点として時計回りで十二時位置から六時位置のリング磁石径の一部または全部を大きくし、十二時を終点として時計回りで九時位置から十二時位置のリング磁石径の一部または全部を小さくした基台と、盤端面の中心から直角方向に延設する回転軸が地面に対して略水平になる様に支柱で軸支される円盤と、先端部にストッパーが取り付けられ、円盤外周面から放射状に外方へ延設する複数本の案内角柱と、案内角柱長より穴長が短い軸穴を有し、案内角柱に軸穴を嵌め込んだ錘と、各錘の支柱に対向する側に配設され、リング磁石と対面する側を逆極性に設定した柱状磁石とを具備してなる。
【００１５】
基台の支柱板面に配設したリング磁石の、六時を終点として時計回りで十二時位置から六時位置のリング状石径の一部または全部を大きくし、十二時を終点として時計回りで九時位置から十二時位置のリング磁石径の一部または全部を小さくしている。
錘に配設した柱状磁石（リング磁石と対面する側を逆極性に設定）がリング磁石に吸引されるため、十二時位置から六時位置（時計回り）でリング磁石径を大きくした場所にある錘は、案内角柱に沿って円盤の外周方向へ移動し、九時位置から十二時位置（時計回り）でリング磁石径を小さくした場所にある錘は、案内角柱に沿って円盤の内周方向へ移動する。よって、回転装置の重心は右側に偏るため、回転装置は、右回転し続ける。なお、九時位置から十二時位置（時計回り）のリング磁石径を小さくしているので、錘が円盤の内周方向へ戻り易い。
【００１６】
〔請求項５の手段〕
磁力を利用した回転装置は、脚と該脚から立設する平板状の支柱とからなり、外周面がＮ極、内周面がＳ極の円筒状磁石を支柱板面に配設し、時計の文字盤に例えると三時位置から六時位置の円筒状磁石径を大きくした基台と、入口が狭く奥が広い複数の案内穴が、盤外周面の複数箇所から盤内部に向かって穿設され、盤端面の中心から直角方向に延設する回転軸が地面に対して略水平になる様に支柱で軸支される円盤と、それぞれの案内穴の奥に等径で径大の頭部が遊嵌され、頭部から盤外方向へ等径で径小の首部が延び、首部から盤外方向へ胴部が延び、この胴部の支柱対向側に内円筒部と外円筒部とを形成した複数個の錘と、内円筒部外周に配設した内周面側がＳ極である円筒状磁石と、外円筒部内周に配設した内周面側がＮ極である円筒状磁石とを具備してなる。
【００１７】
錘の胴部に形成した内円筒部外周に配設した内周面側がＳ極である円筒状磁石、および外円筒部外周に配設した内周面側がＮ極である円筒状磁石により、基台の支柱板面に配設した外周面がＮ極、内周面がＳ極の円筒状磁石を挟んでいる。
このため、磁気浮揚した状態の錘は、三時位置から六時位置で円盤外周方向へ変移し、他の位置では円盤内周方向へ変移する。よって、回転装置の重心は右側に偏るため、回転装置は、右回転し続ける。
【００１８】
〔請求項６の手段〕
磁力を利用した回転装置は、時計の文字盤に例えると、三時位置から六時位置の円筒状磁石径を大きくした構成に加え、九時位置から十二時位置の円筒状磁石径を小さくしている。なお、九時位置から十二時位置の円筒状磁石径を小さくしているので、錘が円盤の内周方向へ戻り易い。
【００１９】
〔請求項７の手段〕
磁力を利用した回転装置は、脚と該脚から立設する平板状の支柱とからなり、支柱板面に円筒状磁石を配設し、時計の文字盤に例えると十二時位置から六時位置の円筒状磁石径を大きくした基台と、盤端面の中心から直角方向に延設する回転軸が地面に対して略水平になる様に支柱で軸支され、円盤外周に円盤中心方向へ向かって複数の凹部を形成した円盤と、柱状錘を背面に連結し、柱状錘を貫く回動軸により各凹部に回動自在に軸支され、円筒状磁石と対面する側を逆極性に設定した柱状磁石とを具備してなる。
【００２０】
十二時位置から六時位置の円筒状磁石径を大きくしているので、十二時位置から六時位置の凹部に回動自在に軸支された柱状磁石（円筒状磁石と対面する側を逆極性に設定）が外周方向へ向きを変える。
このため、回転装置の重心は右側に偏り、回転装置は、右回転し続ける。              
【００２１】
〔請求項８の手段〕
重力を利用した回転装置は、円盤と、円盤の円形端面の中心から直角方向に延設する回転軸と、脚と該脚から立設する平板状の支柱とからなり、回転軸が地面に対して略水平になる様に支柱で軸支される基台とを備え、円盤外周面に沿って所定の円周角度だけ鰭形に円盤外方へ突設して略歯車状とし、その内部に多数の金属小球体または比重が重い液体を封入したことを特徴とする。
【００２２】
円盤外周面に沿って所定の円周角度だけ鰭形に円盤外方へ突設して略歯車状とし、その内部に多数の金属小球体または比重が重い液体を封入しているので、重力により鰭形内部の下側に、金属小球体や液体が移動する。
鰭形の径大側が下側になる円盤側へ回転装置の重心が偏るため、回転装置は、重心が偏った側へ回転し続ける。
【００２３】
〔請求項９の手段〕
重力を利用した回転装置は、円盤と、円盤の円形端面の中心から直角方向に延設する回転軸と、脚と該脚から立設する平板状の支柱とからなり、回転軸が地面に対して略水平になる様に支柱で軸支される基台とを備え、一方端が円盤外周近傍に臨み、他方端が円盤内周方向へ臨む略瞳形の空所を複数、円盤内部に周設し、その内部に金属球体または比重が重い液体を入れたことを特徴とする。
【００２４】
一方端が円盤外周近傍に臨み、他方端が円盤内周方向へ臨む略瞳形の空所を複数、円盤内部に周設し、その内部に金属球体または比重が重い液体を入れているので重心が偏り、回転装置は、重心が偏った側へ回転し続ける。
【発明を実施するための最良の形態】
【００２５】
磁力を利用した回転装置は、脚と該脚から立設する長方形の支柱とからなり、支柱板面に円柱状磁石（表面がＮ極）を配設し、時計の文字盤に例えると、時計回りで十二時位置から六時位置の円柱状磁石径を大きくした基台と、盤端面の中心から直角方向に延設する回転軸が地面に対して略水平になる様に支柱で軸支される円盤と、先端部にストッパーが取り付けられ、円盤外周面から放射状に外方へ延設する複数本の案内角柱と、案内角柱長より穴長が短い軸穴を有し、案内角柱に軸穴を嵌め込んだ錘と、各錘の支柱に対向する側に配設され、円筒状磁石と対面する側をＳ極に設定した柱状磁石とを具備してなる。
【００２６】
基台の支柱板面に配設した円柱状磁石の、十二時位置から六時位置の円柱状磁石径を大きくしているので、錘に配設した柱状磁石が円筒状磁石に吸引され、十二時位置から六時位置にある錘は、案内角柱に沿って円盤の外周方向へ移動する。よって、回転装置の重心は右側に偏るため、回転装置は、右回転し続ける。
【実施例１】
【００２７】
本発明の実施例１に係る重力を利用した回転装置Ａ（請求項１に対応）を図１に基づいて説明する。
図１に示す如く、重力を利用した回転装置Ａは、円盤１と、円盤１から延設する回転軸２と、円盤外側に同軸的に配される円筒状の枠体３と、回転軸２を支持する基台Ｋと、円盤１と枠体３とを連結する案内柱４と、軸穴を案内柱４に遊嵌した錘５と、スプリング６、７とを具備してなる。
【００２８】
円盤１は、厚さ数ｃｍ、直径数十ｃｍの丸板であり、プラスチック製である。
枠体３は、長さ数ｃｍの円筒状を呈し、枠体直径が円盤１の直径の約２倍の寸法であり、円盤外側に円盤１と同軸的に配されている。
なお、回転軸２は、円盤１の円形端面の中心から直角方向に、図示右方向に、数十ｃｍ延設している。
【００２９】
基台Ｋ（金属製で大重量）は、脚８と、脚８から立設する支柱９とからなり、回転軸２が地面に対して水平になる様に、支柱９の軸受（図示せず）で回転軸２を軸支している。  
【００３０】
案内柱４は、円柱状を呈し、円盤１の外周面から所定の角度を付けて、放射状に九本、等間隔で枠体３の内周面へ臨んでいる。なお、開口面が多角形（三角形、四角形、五角形等）のスプリングと、軸穴断面が多角形（三角形、四角形、五角形等）の錘が調達できれば、案内柱の断面は、円以外に多角形（三角形、四角形、五角形等）であっても良い。
【００３１】
錘５は、断面円形の軸穴を有する円柱状を呈し、軸穴を案内柱４に遊嵌している。      スプリング６、７は、錘５の一端・他端側の案内柱４に嵌め込まれる。
【００３２】
本実施例の、回転装置Ａは、以下の利点を有する。
重力を利用した回転装置Ａは、円盤１の外周面から所定の角度を付けて、放射状に等間隔で枠体３の内周面へ臨む九本の案内柱４を設け、錘５の軸穴を案内柱４に遊嵌させている。
このため、重力の作用により、各案内柱４の最も低い位置へ錘５が下降し、円盤１の左側の大部分の錘５は、円盤１の外周近傍へ変位し、円盤１の右側の大部分の錘５は、枠体３の内周近傍へ変位する。よって、重力を利用した回転装置Ａの重心は右側に偏るため、回転装置Ａは右回転し続ける。
【００３３】
錘５の一端・他端側の案内柱４にスプリング６、７を嵌め込んでいるので、錘５が変位する際のショックを和らげ、滑らかな回転が得られる。
また、重力を利用した回転装置Ａは、構造が簡単であるので製造費が安価である。
【実施例２】
【００３４】
つぎに、本発明の実施例２に係る重力を利用した回転装置Ｂ（請求項２に対応）を図２に基づいて説明する。                        
図２に示す如く、重力を利用した回転装置Ｂは、案内穴１０を有する円盤１１と、円盤１１から延設する回転軸１２と、回転軸１２を支持する基台１３と、案内穴１０内に配される錘１２とを具備してなる。
【００３５】
円盤１１は、厚さ数ｃｍ、直径数十ｃｍの丸板であり、プラスチック製である。
回転軸１２は、円盤１１の円形端面の中心から直角方向に、図示右方向に、数十ｃｍ延設している。
断面円形の案内穴１０（１１個）は、円盤１１と同軸的で、円盤１１の内側に位置する仮想円から所定の角度を付けて、放射状に等間隔で円盤１１の縁側方向へ臨んでいる。また、断面が多角形（三角形、四角形、五角形等）の錘を案内穴内へ遊嵌する場合には、案内穴の断面は、円以外に多角形（三角形、四角形、五角形等）であっても良い。この場合、錘の外周面（三箇所、四箇所、五箇所…）にローラーを配設する。
【００３６】
重量が重い基台１３（金属製）は、脚１４と、脚１４から立設する支柱１５とからなり、回転軸１２が地面に対して水平になる様に、支柱１５の軸受（図示せず）で回転軸１２を軸支している。
【００３７】
錘Ｌは、円柱状を呈し、案内穴１０に遊嵌されている。また、錘Ｌの外周面の四箇所には、ローラー１６が配設されている。
【００３８】
本実施例の、重力を利用した回転装置Ｂは、以下の利点を有する。
円盤１１と同軸的で、円盤１１の内側に位置する仮想円から所定の角度を付けて、放射状に等間隔で案内穴１０（１１個）を円盤１１の縁側方向へ臨ませている。
【００３９】
このため、重力の作用により、各案内穴１０の最も低い位置へ錘Ｌが下降し、円盤１１の左側の大部分の錘Ｌは、円盤内周近傍へ変位し、円盤１１の右側の大部分の錘Ｌは、円盤外周近傍へ変位する。よって、回転装置Ｂの重心は右側に偏るため、重力を利用した回転装置Ｂは、右回転し続ける。
【００４０】
円盤１１の案内穴１０に遊嵌される錘Ｌ（円柱状）の外周面の四箇所にローラー１６を配設している。このため、錘Ｌが滑らかに変位し、重力を利用した回転装置Ｂは、滑らかに回転する。
また、重力を利用した回転装置Ｂは、構造が簡単であるので製造費が安価である。
【実施例３】
【００４１】
つぎに、本発明の実施例３に係る、磁力を利用した回転装置Ｃ（請求項３に対応）を図３に基づいて説明する。                        
図３に示す如く、磁力を利用した回転装置Ｃは、盤端面の中心から直角方向に回転軸１７が延設する円盤１８と、支柱板面にリング磁石１９（表面をＮ極に設定）を配設し、地面に対して略水平になる様に回転軸１７を支持する基台２０と、円盤外周面から放射状に外方へ延設する案内角柱２１と、案内角柱２１に軸穴を嵌め込んだ錘２２と、各錘２２の支柱２３に対向する側に配設される柱状磁石２４とを具備してなる。
【００４２】
基台２０は、脚２５と、脚２５から立設する平板状の支柱２３とからなる。
支柱２３には、リング磁石１９が配設され、時計の文字盤に例えると、時計回りで十二時位置から六時位置のリング磁石１９の径を大きくしている。
【００４３】
断面正方形の案内角柱２１（八本）は、円盤１８の外周面から放射状に外方へ延設し、先端部にストッパーＭが取り付けられている。
断面長方形の錘２２は、案内角柱長より穴長が短い軸穴を有し、軸穴内に案内角柱２１を遊嵌している。
【００４４】
断面円形の柱状磁石２４は、各錘２２の支柱２３に対向する側に配設され、リング磁石１９と対面する側をＳ極に設定している。
【００４５】
基台２０の支柱２３の板面に配設したリング磁石１９の、十二時位置から六時位置のリング磁石径を大きくしているので、錘２２に配設した柱状磁石２４がリング磁石１９に吸引され、十二時位置から六時位置にある錘２２は、案内角柱２１に沿って円盤の外周方向へ移動する。よって、回転装置の重心は右側に偏るため、回転装置は、右回転し続ける。
【実施例４】
【００４６】
つぎに、本発明の実施例４に係る磁力を利用した回転装置Ｄ（請求項４に対応）を図４の（ａ）に基づいて説明する。                        
図４の（ａ）に示す如く、磁力を利用した回転装置Ｄは、磁力を利用した回転装置Ｃ（図３参照）と、下記の点で異なる。
【００４７】
支柱２３には、リング磁石１９が配設され、時計の文字盤に例えると、六時を終点として時計回りで十二時位置から六時位置のリング磁石径を大きくし、十二時を終点として時計回りで九時位置から十二時位置のリング磁石径を小さくしている。
【００４８】
十二時位置から六時位置（時計回り）でリング磁石径を大きくした場所にある錘２２は、案内角柱２１に沿って円盤１８の外周方向へ移動し、九時位置から十二時位置（時計回り）でリング磁石径を小さくした場所にある錘２２は、案内角柱２１に沿って円盤１８の内周方向へ移動する。よって、回転装置のＤの重心は右側に偏るため、回転装置Ｄは、右回転し続ける。なお、九時位置から十二時位置（時計回り）のリング磁石径を小さくしているので、錘２２が円盤１８の内周方向へ戻り易い。
【実施例５】
【００４９】
つぎに、本発明の実施例５に係る磁力を利用した回転装置Ｅ（請求項４に対応）を図４の（ｂ）に基づいて説明する。                        
図４の（ｂ）に示す磁力を利用した回転装置Ｅは、磁力を利用した回転装置Ｃ（図３参照）と、下記の点で異なる。
【００５０】
支柱２３には、リング磁石１９が配設され、時計の文字盤に例えると、六時を終点として時計回りで三時位置から六時位置のリング磁石径を大きくし、十二時を終点として時計回りで九時位置から十二時位置のリング磁石径を小さくしている。
【００５１】
三時位置から六時位置（時計回り）でリング磁石径を大きくした場所にある錘２２は、案内角柱２１に沿って円盤１８の外周方向へ移動し、九時位置から十二時位置（時計回り）でリング磁石径を小さくした場所にある錘２２は、案内角柱２１に沿って円盤１８の内周方向へ移動する。よって、回転装置のＥの重心は右側に偏るため、回転装置Ｅは、右回転し続ける。なお、九時位置から十二時位置（時計回り）のリング磁石径を小さくしているので、錘２２が円盤１８の内周方向へ戻り易い。
【実施例６】
【００５２】
つぎに、本発明の実施例６に係る磁力を利用した回転装置Ｆ（請求項５に対応）を図５に基づいて説明する。                        
【００５３】
図５に示す如く、磁力を利用した回転装置Ｆは、盤外周面から内部へ案内穴２６が穿設される円盤２７と、支柱板面に円筒状磁石２８（内周面側がＳ極、外周面側がＮ極）が配設され、円盤２７の回転軸２９を支持する基台３０と、案内穴２６に頭部３１および首部３２が遊嵌され、胴部３３に内円筒部３４と外円筒部３５とを形成した錘３６と、内円筒部３４の外周に配設した円筒状磁石３７（外周面がＳ極）と、外円筒部３５の内周に配設した円筒状磁石３８（内周面がＮ極）とを具備してなる。
【００５４】
錘３６の胴部に形成した内円筒部３４の外周に配設した内周面側がＳ極である円筒状磁石３７、および外円筒部３５の外周に配設した内周面側がＮ極である円筒状磁石３８により、基台３０の支柱３９の板面に配設した外周面がＮ極、内周面がＳ極の円筒状磁石２８を挟んでいる。
このため、磁気浮揚した状態の錘３６は、三時位置から六時位置で円盤２７の外周方向へ変移し、他の位置では円盤２７の内周方向へ変移する。よって、回転装置Ｆの重心は右側に偏るため、回転装置Ｆは、右回転し続ける。
【実施例７】
【００５５】
つぎに、本発明の実施例７に係る磁力を利用した回転装置Ｇ（請求項６に対応）を図６に基づいて説明する。                        
図６に示す磁力を利用した回転装置Ｇは、磁力を利用した回転装置Ｆ（図５参照）と、下記の点で異なる。
【００５６】
時計の文字盤に例えると、三時位置から六時位置の円筒状磁石２８の径を大きくした構成に加え、九時位置から十二時位置の円筒状磁石２８の径を小さくしている。
磁力を利用した回転装置Ｇは、九時位置から十二時位置の円筒状磁石２８の径を小さくしているので、錘３６が円盤２７の内周方向へ戻り易い。
【実施例８】
【００５７】
つぎに、本発明の実施例８に係る磁力を利用した回転装置Ｈ（請求項７に対応）を図７に基づいて説明する。                        
【００５８】
磁力を利用した回転装置Ｈは、脚４０と脚４０から立設する平板状の支柱４１とからなり、支柱板面にリング磁石４３（表面がＮ極）を配設し、時計の文字盤に例えると十二時位置から六時位置のリング磁石４３の径を大きくした基台４４と、盤端面の中心から直角方向に延設する回転軸４５が地面に対して略水平になる様に支柱４１で軸支され、円盤外周に円盤中心方向へ向かって凹部４６（八個）を形成した円盤４７と、柱状錘４８を背面に連結し、柱状錘４８を貫く回動軸４９により各凹部４６に回動自在に軸支され、リング磁石４３と対面する側をＳ極に設定した柱状磁石５０とを具備してなる。
【００５９】
十二時位置から六時位置の円筒状磁石４３の径を大きくしているので、十二時位置から六時位置の凹部４６に回動自在に軸支された柱状磁石５０が外周方向へ向きを変える。
このため、磁力を利用した回転装置Ｈの重心は右側に偏り、回転装置Ｈは、右回転し続ける。
【実施例９】
【００６０】
つぎに、本発明の実施例９に係る重力を利用した回転装置Ｉ（請求項８に対応）を図８に基づいて説明する。                        
重力を利用した回転装置Ｉは、円盤５１と、円盤５１の円形端面の中心から直角方向に延設する回転軸５２と、脚５３と脚から立設する平板状の支柱５４とからなり、回転軸５２が地面に対して略水平になる様に支柱５４で軸支される基台５５とを備える。そして、円盤５１の外周面に沿って所定の円周角度だけ鰭形５６に円盤外方へ突設して歯車状とし、その突設した鰭形５６内（八部屋）に水銀５７（比重が重い液体）を封入している。  
【００６１】
円盤５１の外周面に沿って所定の円周角度だけ鰭形５６に円盤外方へ突設して歯車状とし、その内部に水銀５７を封入しているので、重力により鰭形５６の内部の下側に水銀５７が移動する。鰭形５６の径大側が下側になる円盤側へ回転装置Ｉの重心が偏るため、重力を利用した回転装置Ｉは、重心が偏った右側へ回転し続ける。
【実施例１０】
【００６２】
つぎに、本発明の実施例１０に係る重力を利用した回転装置Ｊ（請求項９に対応）を図９に基づいて説明する。                        
重力を利用した回転装置Ｊは、円盤５８と、円盤５８の円形端面の中心から直角方向に延設する回転軸５９と、脚６０と脚６０から立設する平板状の支柱６１とからなり、回転軸５９が地面に対して略水平になる様に支柱６１で軸支する基台６２とを備える。そして、一方端が円盤５８の外周近傍に臨み、他方端が円盤５８の内周方向へ臨む瞳形６３の空所を複数、円盤５８の内部に周設し、その内部に金属球体６４を入れている。
【００６３】
一方端が円盤５８の外周近傍に臨み、他方端が円盤５８の内周方向へ臨む瞳形６３の空所を複数、円盤５８の内部に周設し、その内部に金属球体６４を入れているので重心が偏り、回転装置Ｊは、重心が偏った右側へ回転し続ける。
【００６４】
本発明は、上記実施例以外に、つぎの実施態様を含む。
ａ．回転装置Ａ〜Ｈの円盤にフライホイール用の錘を取り付け、回転開始の際に補助動力（指で押して回す等）で円盤を回し、錘のフライホイール効果により死点を乗り越える構造にしても良い。
【００６５】
ｂ．図１に示す重力を利用した回転装置Ａにおいて、案内柱４の本数（錘５等も同数）は、九本以外の本数（例：１１本）でも良い。
【００６６】
ｃ．図２に示す重力を利用した回転装置Ｂにおいて、案内穴１０の穴数は、１１個以外の数（例：１１本）でも良い。
ｄ．案内穴１０内へ入れる錘は、水銀等の液体でも良い。
【００６７】
ｅ．請求項１の案内柱（図１の案内柱４）や、請求項２の案内穴（図２の案内穴１０）は、湾曲していても良い。
【００６８】
ｆ．請求項１の案内柱（図１の案内柱４）や、請求項２の案内穴（図２の案内穴１０）を円盤に井形状に形成しても良い。また、案内柱や案内穴の形成位置をずらして円盤を複数枚、重ね合わせても良い。
【００６９】
ｇ．請求項９において、略瞳形（図９の瞳形）内に、金属球体や液体を柱で旋回させるための仕切柱を設けても良い。
【００７０】
ｈ．請求項９の略瞳形は、繭状や楕円状等であっても良い。また、請求項８の略歯車状は、図８の形状以外であっても良い。
【００７１】
ｉ．請求項３、４、７のリング磁石（図３、図４のリング磁石１９、図７のリング磁石４３）、および請求項５、６の円筒状磁石（図５、図６の円筒状磁石２８）は、単体の磁石で形成しているが、小さな磁石をリング状や円筒状に集合して、リング磁石や円筒状磁石を形成しても良い。
【図面の簡単な説明】
【００７２】
【図１】実施例１の重力を利用した回転装置の構造を示す説明図である。
【図２】実施例２の重力を利用した回転装置の構造を示す説明図である。
【図３】実施例３の磁力を利用した回転装置の構造を示す説明図である。
【図４】実施例４の磁力を利用した回転装置の構造を示す説明図である。
【図５】実施例５の磁力を利用した回転装置の構造を示す説明図である。
【図６】実施例６の磁力を利用した回転装置の構造を示す説明図である。
【図７】実施例７の磁力を利用した回転装置の構造を示す説明図である。
【図８】実施例８の重力を利用した回転装置の構造を示す説明図である。
【図９】実施例９の重力を利用した回転装置の構造を示す説明図である。
【符号の説明】
【００７３】
Ａ、Ｂ、Ｉ、Ｊ  重力を利用した回転装置
Ｃ、Ｄ、Ｅ、Ｆ、Ｇ、Ｈ  磁力を利用した回転装置
１  円盤
２  回転軸
３  枠体
４  案内柱
５  錘
６、７  スプリング
１０、２６  案内穴
１１、１８、２７、５８  円盤
１２、１７、２９、４５、５９  回転軸
１３、２０、３０、４４、６２  基台
２２、３６  錘
１４、２５、４９、６０  脚
１５、２３、４１、４２、６１  支柱
１６  ローラー
１９、４３  リング磁石
２１  案内角柱
２４  柱状磁石
２８  円筒状磁石
３１  頭部
３２  首部
３３  胴部
３４  内円筒部
３５  外円筒部
３７、３８  円筒状磁石
４６  凹部
４７  円盤
４８  柱状錘
４９  回動軸
５０  柱状磁石
６３  略瞳形
６４  金属球体
Ｋ    基台
Ｌ    錘
【図１】
2010096044.tif 000003
【図２】
2010096044.tif 000004
【図３】
2010096044.tif 000005
【図４】
2010096044.tif 000006
【図５】
2010096044.tif 000007
【図６】
2010096044.tif 000008
【図７】
2010096044.tif 000009
【図８】
2010096044.tif 000010
【図９】
2010096044.tif 000011